(57)【要約】【課題】  蝶番軸を切断することが困難である防犯蝶番を提供する。【解決手段】  側端縁部に支軸１を一体的に突設した第１羽根板２と、側端縁に一体的に結合した案内筒３を上記支軸１に嵌合させた第２羽根板４とを有する蝶番の上記案内筒３内に、支軸１の先端と当接する負荷プラグ５を摺動可能に配設すると共に、この負荷プラグ５が支軸１側に抜け出ることを防止する係止部６を形成し、一方、上記負荷プラグ５に関して支軸１とは反対側における案内筒３内に圧縮コイルばね７を弾装して負荷プラグ５を上記係止部６に弾圧するようにしたものにおいて、支軸１を分割面９により上下二つに分割し、上方の長い方の支軸に、その中心軸線に沿って収納孔１１を形成し、この収納孔１１に例えば断面が円形で、少なくとも表面を硬化させた補強材１２を収納する。【選択図】  図１
2006241857.tif 000002
【特許請求の範囲】
【請求項１】
扉の支持側端縁付近及び扉枠の一方にねじ止めされる第１羽根板と、他方にねじ止めされる第２羽根板とを相互に連結すると共に、羽根板が鉛直軸の回りを回動できるように案内する蝶番軸を有するものにおいて、この蝶番軸に、その長さ方向に沿って、少なくとも表面を硬化させた補強材を埋設したことを特徴とする防犯蝶番。
【発明の詳細な説明】
【技術分野】
【０００１】
この発明は、防犯蝶番に係り、特に、蝶番の軸を切断することによる不正解錠を防止し得る防犯蝶番に関する。
【背景技術】
【０００２】
本出願人は、先に、後記特許文献１を以て、地震により扉枠が菱形に変形しても扉を開けて避難することができる新規な対震蝶番を提案し、現在多く実用されている。
【０００３】
この対震蝶番は、図１に示すように、側端縁部に支軸１を一体的に突設した第１羽根板２と、側端縁に一体的に結合した案内筒３を上記支軸１に嵌合させた第２羽根板４とを有する蝶番において、上記案内筒３内に、支軸１の先端と当接する負荷プラグ５を摺動可能に配設すると共に、この負荷プラグ５が支軸１側に抜け出ることを防止する係止部６を形成し、一方、上記負荷プラグ５に関して支軸１とは反対側における案内筒３内に圧縮コイルばね７を弾装して負荷プラグ５を上記係止部６に弾圧し、支軸１の軸線方向の荷重を負荷プラグ５を介して圧縮コイルばね７に担持させるようにしたものである。
【特許文献１】特公平２−２９８３２号公報
【発明の開示】
【発明が解決しようとする課題】
【０００４】
上記した構成の対震蝶番は、第１羽根板２の支軸１を保持する筒部、及び案内筒３が外部空間に露出する上、薄肉筒状のカバー体８を取り去れば支軸１の第１及び第２羽根板２、４の間の部分が露出する。
【０００５】
そのため、この露出する支軸１の部分を金鋸、やすり、電動金鋸、グラインダー等で切断することが可能で、この場合シリンダ錠を解錠しなくても扉を外すことができ、防犯上問題がある。
【０００６】
勿論、蝶番の支軸を切断することによる不正解錠は従来例が無く、また、切断時における騒音の発生が不可避であることから、将来かかる不正解錠が実際に発生する可能性は極めて低い。
【０００７】
しかしながら、理論上起こる可能性があることから、防犯器具メーカーとしての本出願人にはかかる不正解錠を防止し得る蝶番を提案する義務がある。
【０００８】
そこで、この発明は、蝶番軸を切断することが困難である防犯蝶番を提供することを目的としている。
【課題を解決するための手段】
【０００９】
上記の目的を達成するため、請求項１に記載の発明は、扉の支持側端縁付近及び扉枠の一方にねじ止めされる第１羽根板と、他方にねじ止めされる第２羽根板とを相互に連結すると共に、羽根板が鉛直軸の回りを回動できるように案内する蝶番軸を有するものにおいて、この蝶番軸に、その長さ方向に沿って、少なくとも表面を硬化させた補強材を埋設したことを特徴とする。
【発明の効果】
【００１０】
上記のように構成された請求項１に記載の発明による防犯蝶番は、蝶番軸を切断する過程において、工具が必ず補強材に接触するので、表面を硬化させた補強材によってそれ以上の切断のための切削、研削が不能になり、結局蝶番軸の切断を防止することができる。
【００１１】
また、蝶番軸内に表面を硬化させた補強材を埋設するようにしたので、蝶番軸そのものに焼き入れ等をしたりすることによる材質の脆弱化を防止できる、等種々の効果を奏する。
【発明を実施するための最良の形態】
【００１２】
蝶番の蝶番軸に表面を硬化させた補強材を埋設する、という簡単な構成により、加工費の増大及び構造の変更を伴うこと無く、蝶番軸を切断することによる不正解錠を防止できる。
【実施例１】
【００１３】
以下、この発明の実施例を図１を参照して説明する。
図１において符号１は蝶番軸を示し、この蝶番軸１を分割面９により上下二つに分割する。
【００１４】
なお、上記蝶番軸１は、前記した背景技術の欄においては支軸と表現したが、それはこの蝶番軸が第１及び第２羽根板を鉛直軸の回りで独立に回動できるように案内すると共に、扉の荷重を担持するからである。
【００１５】
しかしながら、後述する所謂５管蝶番においては、蝶番軸は扉の荷重を担持せず、羽根板の案内のみをするので、ここでは、扉の荷重を担持するものも担持しないものも、総称して蝶番軸と称することにする。
【００１６】
図１に戻って、分割された２個の蝶番軸の内、上方の長い方の蝶番軸に、その中心軸線に沿って、少なくとも前記カバー体８の部分をカバーする収納孔１１を形成し、この収納孔１１に例えば断面が円形の補強材１２を収納して埋設する。
【００１７】
上記補強材の埋設により、対震蝶番としての機能が損われることが無いことは明らかである。
【００１８】
上記補強材１２は、例えば高炭素鋼に焼き入れをして表面は勿論内部も硬化させるものを用いる。
【００１９】
或いは、高周波焼き入れにより表面のみを硬化させても良いし、また、低炭素鋼の表面に浸炭又は窒化処理をし、更に焼き入れをすることにより補強材１２の表面を硬化させる。
【００２０】
または、周期率表ＩＶａ、Ｖａ、ＶＩａ属金属の炭化物を、鉄、コバルト或いはニッケル等の鉄系金属で焼結した所謂超硬合金により補強材を構成しても良い。
【００２１】
上記のように構成された防犯蝶番は、切断工具に対して極めて高い抵抗を示し、蝶番軸の切断を断念させることにより蝶番の防犯性を高めることは前記したとお
りである。
【実施例２】
【００２２】
本願発明は、図１に示す所謂対震蝶番に限らず、例えば旗蝶番にも適用できることは言うまでもない。なお、旗蝶番とは、図１に示す対震蝶番から圧縮コイルばね７を取り去って扉の荷重を直接案内筒３に担持させるようにすると共に、第１及び第２羽根板２、４の間隔を小さくしたものである。
【００２３】
なお、この場合、補強材は図１に示す所謂対震蝶番におけると同様に埋設することができる。
【００２４】
なお、旗蝶番においては蝶番軸は外部に露出せず、これを切断しようとすれば羽根板と一体の筒部も切断しなければならないので、旗蝶番は対震蝶番よりも蝶番軸の対切断能力は高い。
【実施例３】
【００２５】
また、本願発明は例えば５管蝶番等他の形式の蝶番にも適用可能である。
ここで５管蝶番とは、第１及び第２羽根板の側端縁に、一定の間隔を保って複数個（例えば第１羽根板に３個、第２羽根板に２個）の蝶番軸保持筒を形成し、これらの蝶番軸保持筒を相互に噛み合わせることにより蝶番軸が挿通できる筒部を形成したものである（図示せず）。
【００２６】
この場合、蝶番軸の両端には抜け止めのフランジがあるので、補強材の収納孔は例えば両端のフランジ部も貫通して両端が開くものとし、この収納孔に補強材を圧入する。
【００２７】
なお、５管蝶番は、扉の荷重を蝶番軸保持筒の接合部で端持するので、蝶番軸が扉の荷重を担持する必要がない。
【００２８】
また、５管蝶番においては蝶番軸は外部に露出せず、これを切断しようとすれば羽根板と一体の蝶番軸保持筒も切断しなければならないので、５管蝶番も対震蝶番より蝶番軸の対切断能力は高い。
【図面の簡単な説明】
【００２９】
【図１】この発明の一実施例による防犯蝶番の要部の縦断面図。
【符号の説明】
【００３０】
１  支軸
２  第１羽根板
３  案内筒
４  第２羽根板
５  負荷プラグ
６  係止部
７  圧縮コイルばね
８  カバー体
９  分割面
１１  収納孔
１２  補強材
【図１】
2006241857.tif 000003